(57)【要約】 【課題】  簡単に構成するとともに消費電力を抑制したうえで、ハンドルグリップ装置を効率的に暖めることができるようにする。【解決手段】  ハンドルグリップ装置は、ハンドルパイプ１３の外側端部に組み付けられる円筒状のインナーグリップ２１と、インナーグリップ２１の外周面上に設けたアウターグリップ２２と、インナーグリップ２１とアウターグリップ２２との間に介装した発熱被膜３１〜３４とを備えている。ハンドルグリップ装置のハンドルパイプ１３への組付け状態にて、インナーグリップ２１の軸線方向の外端側に位置する部分におけるインナーグリップ２１の外周面に対する発熱被膜３２〜３４の面積比率は、インナーグリップ２１の軸線方向の内端側に位置する部分におけるインナーグリップ２１の外周面に対する発熱被膜３１の面積比率よりも小さい。【選択図】  図３
2016113002.tif 000002
【特許請求の範囲】
【請求項１】
ハンドルパイプの外側端部に組み付けられる円筒状のインナーグリップと、
前記インナーグリップの外周面上に設けたアウターグリップと、
前記インナーグリップと前記アウターグリップとの間に介装した発熱被膜とを備えたハンドルグリップ装置において、
ハンドルグリップ装置のハンドルパイプへの組付け状態にて、前記インナーグリップの軸線方向の外端側に位置する部分における前記インナーグリップの外周面に対する前記発熱被膜の面積比率を、前記インナーグリップの軸線方向の内端側に位置する部分における前記インナーグリップの外周面に対する前記発熱被膜の面積比率よりも小さくしたことを特徴とするハンドルグリップ装置。
【請求項２】
請求項１に記載のハンドルグリップ装置において、さらに、
前記発熱被膜に電力を供給するための一対の長尺状の電極板を、前記インナーグリップの外周面上に、周方向に所定の間隔を隔てて軸線方向に沿って設けたことを特徴とするハンドルグリップ装置。
【請求項３】
請求項２に記載のハンドルグリップ装置において、
前記発熱被膜を、前記インナーグリップの外周面上及び前記一対の電極板上に液体状態にある被膜材料を塗布して形成したことを特徴とするハンドルグリップ装置。
【請求項４】
請求項１乃至３のうちのいずれか一つに記載のハンドルグリップ装置において、
前記インナーグリップの内端側に位置する部分の発熱被膜は前記インナーグリップの軸線方向に連続して全周に設けられ、かつ
前記インナーグリップの外端側に位置する部分の発熱被膜は、前記インナーグリップの軸線方向に所定の間隔を隔てて複数に分割されているとともに、前記インナーグリップの全周の一部に設けられているハンドルグリップ装置。
【請求項５】
請求項１乃至３のうちのいずれか一つに記載のハンドルグリップ装置において、
前記インナーグリップの内端側に位置する部分の発熱被膜は前記インナーグリップの軸線方向に連続して全周に設けられ、かつ
前記インナーグリップの外端側に位置する部分の発熱被膜は、前記インナーグリップの軸線方向に所定の間隔を隔てて複数に分割されて全周に設けられているハンドルグリップ装置。
【請求項６】
請求項１乃至３のうちのいずれか一つに記載のハンドルグリップ装置において、
前記インナーグリップの内端側に位置する部分の発熱被膜は前記インナーグリップの軸線方向に連続して全周に設けられ、かつ
前記インナーグリップの外端側に位置する部分の発熱被膜は、前記インナーグリップの軸線方向に連続して全周の一部に設けられているハンドルグリップ装置。
【発明の詳細な説明】
【技術分野】
【０００１】
本発明は、二輪車、三輪バギー、スノーモービル、水上バイクなどの移動体のハンドルパイプの外側端に組み付けられて、運転者によって運転操作されるハンドルグリップ装置に関する。
【背景技術】
【０００２】
従来から、下記特許文献１〜３に示されているように、ハンドルグリップ装置内に発熱体を設けてハンドルグリップ装置を暖めることはよく知られている。下記特許文献１には、一枚の発熱シートをほぼ全周に渡ってグリップラバー内に埋め込んで、発熱シートの両端にアース接点と電源接点を設けて発熱シートに電力を供給するようにしたハンドルグリップ装置が示されている。また、下記特許文献２には、可撓性を有するシート状の電気絶縁物の表面に一本の電気抵抗体を蛇行させて接着するとともに、電気絶縁物をハンドルグリップ装置内の円筒状部材の外周面の全周又は周方向の一部に貼り付け、電気抵抗体の両端に電力を供給するようにしたハンドルグリップ装置が示されている。また、下記特許文献３には、２枚のＰＥＴ（PolyEthylene Terephthalate resin）被膜の間に蛇行させた発熱体を挟んでグリップヒータを構成し、グリップヒータをハンドルグリップ装置内の円筒状のコアの外周面の一部（前方に相当する部分）を覆い、発熱体の両端に電力を供給するようにしたハンドルグリップ装置が示されている。
【０００３】
さらに、下記特許文献４には、発熱素子である銅箔からなるストリップパターンをフレキシブルプリント基板上に配置して、フレキシブルプリント基板をハンドルグリップ装置内に設けて、ハンドルグリップ装置を暖めるようにしたハンドルグリップ装置が示されている。そして、このハンドルグリップ装置においては、ハンドルグリップ装置をハンドルパイプに組み付けた状態で、発熱素子（銅箔）の分散密度に関して、ハンドルグリップ装置の軸線方向の内端側に位置する部分を軸線方向の外端側に位置する部分よりも高くし、かつハンドルグリップ装置の前側部分（移動体の前進方向側の部分）を後側部分（運転者側の部分）よりも高くしている。これにより、ハンドルグリップ装置の軸線方向の内端側に位置する部分を軸線方向の外端側に位置する部分よりも強く暖め、かつハンドルグリップ装置の前側部分を後側部分よりも強く暖めるようにしている。
【先行技術文献】
【特許文献】
【０００４】
【特許文献１】実開昭５７−１３４９８９号公報
【特許文献２】特開２００５-１９９９１３号公報
【特許文献３】特開２００５-２２５４８１号公報
【特許文献４】特開平１０-８１２８２号公報
【発明の概要】
【０００５】
上述のように、ハンドルグリップ装置を暖めることは外気温度が低い環境下では運転者にとって必要なことであるが、移動体における消費電力をなるべく抑制することも望まれている。運転者がハンドルグリップ装置を手で握る際には、親指及び人差し指が位置するハンドルグリップ装置の内端側の部分には全周に渡って手のひらが接触するが、小指側が位置するハンドルグリップ装置の外端側の部分には全周に渡って手のひらが接触することはなく、ハンドルグリップ装置の下側又は後側において手のひらが接触しない部分がある。したがって、ハンドルグリップ装置を暖める場合には、ハンドルグリップ装置の軸線方向における内端側を外端側よりも強く暖めることが効果的である。しかしながら、上記引用文献１〜３においては、発熱体である発熱シート、電気抵抗体又はグリップヒータが、ハンドルグリップ装置の軸線方向の両端間においてほぼ均等に設けられており、消費電力を抑制してハンドルグリップ装置を効率よく暖める点では問題がある。
【０００６】
この点に関して、上記特許文献４のハンドルグリップ装置においては、発熱素子（銅箔）の分散密度をハンドルグリップ装置の各部分において上述のように異ならせることにより、消費電力を抑制してハンドルグリップ装置を効率よく暖める工夫がなされている。しかしながら、上記特許文献４のハンドルグリップ装置においては、発熱素子のストリップパターンを位置に応じて変化させたフレキシブルプリント基板を用いており、フレキシブルプリント基板の構成が複雑であるとともに、フレキシブルプリント基板をハンドルパイプに組み付けるとういう複雑な構成を採用しているために、ハンドルグリップ装置の構成が複雑であるとともに、製造コストが高くなるという問題がある。
【０００７】
本発明は、このような問題に対処するためになされたもので、その目的は、簡単な構成で消費電力を抑制したうえで効率的に暖められるようにしたハンドルグリップ装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明の特徴は、ハンドルパイプ（１３）の外側端部に組み付けられる円筒状のインナーグリップ（２１）と、インナーグリップの外周面上に設けたアウターグリップ（２２）と、インナーグリップとアウターグリップとの間に介装した発熱被膜（３１〜３４，３５，３６，３７）とを備えたハンドルグリップ装置において、ハンドルグリップ装置のハンドルパイプへの組付け状態にて、インナーグリップの軸線方向の外端側に位置する部分におけるインナーグリップの外周面に対する発熱被膜（３２〜３４，３５ｂ，３７）の面積比率を、インナーグリップの軸線方向の内端側に位置する部分におけるインナーグリップの外周面に対する発熱被膜（３１，３５ａ，３６）の面積比率よりも小さくしたことにある。
【０００９】
この場合、例えば、インナーグリップの内端側に位置する部分の発熱被膜（３１）はインナーグリップの軸線方向に連続して全周に設けられ、かつインナーグリップの外端側に位置する部分の発熱被膜（３２〜３４）は、インナーグリップの軸線方向に所定の間隔を隔てて複数に分割されているとともに、インナーグリップの全周の一部に設けられている。また、インナーグリップの内端側に位置する部分の発熱被膜（３１）はインナーグリップの軸線方向に連続して全周に設けられ、かつインナーグリップの外端側に位置する部分の発熱被膜（３２〜３４）は、インナーグリップの軸線方向に所定の間隔を隔てて複数に分割されて全周に設けられているようにしてもよい。また、インナーグリップの内端側に位置する部分の発熱被膜（３５ａ，３６）はインナーグリップの軸線方向に連続して全周に設けられ、かつインナーグリップの外端側に位置する部分の発熱被膜（３５ｄ、３７）は、インナーグリップの軸線方向に連続して全周の一部に設けられているようにしてもよい。
【００１０】
前記のように構成した本発明の特徴においては、インナーグリップとアウターグリップの間に発熱被膜を介装し、ハンドルグリップ装置を暖めるようにした。これにより、本発明の特徴によれば、ハンドルグリップ装置が簡単に構成されて、製造コストを下げることができる。また、本発明の特徴においては、インナーグリップの軸線方向の外端側に位置する部分におけるインナーグリップの外周面に対する発熱被膜の面積比率を、インナーグリップの軸線方向の内端側に位置する部分におけるインナーグリップの外周面に対する発熱被膜の面積比率よりも小さくした。これにより、ハンドルグリップ装置の内側部分を外側部分よりも強く暖めることができ、発熱被膜による消費電力を抑制したうえで、ハンドルグリップ装置を効率的に暖めることができる。
【００１１】
また、本発明の他の特徴は、さらに、発熱被膜に電力を供給するための一対の長尺状の電極板（２６，２７）を、インナーグリップの外周面上に、周方向に所定の間隔を隔てて軸線方向に沿って設けたことにある。これによれば、発熱被膜の面積比率をインナーグリップの軸線方向の外端側に位置する部分と内端側に位置する部分とで異ならせるために、前述のように、発熱被膜を軸線方向に間隔を設けて分散配置したり、発熱被膜をインナーグリップの全周の一部に配置したりしても、簡単な構成で発熱被膜に電力を供給できるようになる。
【００１２】
また、本発明の他の特徴は、発熱被膜を、インナーグリップの外周面上及び一対の電極板上に液体状態にある被膜材料を塗布して形成したことにある。これによれば、発熱被膜が、インナーグリップ２１の外周面上及び一対の電極板上に簡単に形成される。
【図面の簡単な説明】
【００１３】
【図１】ハンドルグリップ装置の使用状態を説明するための自動二輪車の前部を示す概略平面図である。
【図２】本発明の一実施形態に係る左ハンドルグリップ装置の外観を示す正面図（運転者側から見た外観図）である。
【図３】図２のＩＩＩ−ＩＩＩ線に沿って見た前記左ハンドルグリップ装置の中心軸を通る縦断面図である。
【図４】図２のＩＶ−ＩＶ線に沿って見た前記左ハンドルグリップ装置の中心軸を通る横断面図である。
【図５】図２のＶ−Ｖ線に沿って見た前記左ハンドルグリップ装置の断面図である。
【図６】前記左ハンドルグリップ装置におけるインナーグリップに対する電極板の固定及び発熱被膜の形成を説明するための斜視図である。
【図７】第１変形例に係る左ハンドルグリップ装置における発熱被膜の位置を説明するための図６に対応させた斜視図である。
【図８】第２変形例に係る左ハンドルグリップ装置における発熱被膜の位置を説明するための図６に対応させた斜視図である。
【図９】第３変形例に係る左ハンドルグリップ装置における発熱被膜の位置を説明するための図６に対応させた斜視図である。
【発明を実施するための形態】
【００１４】
ａ．実施形態
以下、本発明の一実施形態に係るハンドルグリップ装置について説明するが、その前に、自動二輪車におけるハンドルグリップ装置の使用状態について説明しておく。図１は、自動二輪車の前部を示す概略平面図である。
【００１５】
自動二輪車は、下端を上端に対して若干前方に位置させるように傾けて上下方向に延設されて、軸線回りの回転により前輪１１を左右に操舵する操向軸１２を備えている。操向軸１２の上端部は、左右方向に延設された円筒状のハンドルパイプ１３の中央部に連結されている。ハンドルパイプ１３は、中央部を左右方向に延設させ、左右外側部を斜め後方に延設させている。ハンドルパイプ１３の左端部及び右端部の外周面上には、左ハンドルグリップ装置２０及び右ハンドルグリップ装置４０がそれぞれ組み付けられている。したがって、運転者が左右ハンドルグリップ装置２０，４０を手で握ってハンドルパイプ１３を水平面内にて回動させると、その回動力が操向軸１２を介して前輪１１に伝達され、前輪１１が左右に操舵される。また、前輪１１の上方には、ヘッドライト１４、スピードメータ１５、タコメータ１６などが配置されている。
【００１６】
左ハンドルグリップ装置２０について、図面を用いて説明する。図２は、左ハンドルグリップ装置２０の外観を示す正面図（運転者側から見た外観図）である。図３は、図２のＩＩＩ−ＩＩＩ線に沿って見た左ハンドルグリップ装置２０の中心軸を通る縦断面図である。図４は、図２のＩＶ−ＩＶ線に沿って見た左ハンドルグリップ装置２０の中心軸を通る横断面図である。図５は、図２のＶ−Ｖ線に沿って見た左ハンドルグリップ装置２０の断面図である。図６は、左ハンドルグリップ装置２０におけるインナーグリップ２１に対する電極板２６，２７の固定及び発熱被膜３１〜３４の形成を説明するための斜視図である。なお、図３及び図４の断面図においては、後述するスイッチケース２３及び制御線２５を省略するとともに、インナーグリップ２１の内周面に形成された凹部２１ａの境界線に関しては上端及び下端以外の部分では省略して示している。また、以下の左右ハンドルグリップ装置２０，４０の説明では、その前後、左右及び上下の各方向は、自動二輪車の前後、左右及び上下の各方向と一致した方向である。特に、左右ハンドルグリップ装置２０，４０の前側は自動二輪車の前進方向側であり、後側は運転者側である。
【００１７】
左ハンドルグリップ装置２０は、インナーグリップ２１、アウターグリップ２２及びスイッチケース２３を備えている。インナーグリップ２１は、詳しくは後述するが、樹脂により略円筒状に形成されて、ハンドルパイプ１３の外周面上に組み付け固定されている。アウターグリップ２２は、詳しくは後述するが、ゴムにより略円筒状に形成されて、インナーグリップ２１の外周面上に固着されている。スイッチケース２３は、樹脂により内部に円柱状の空間を有するように縦断面円形状に構成されており、アウターグリップ２２の右側端部の外周面との間に円筒状の空間を設けてアウターグリップ２２の右側端部を覆うとともに、ハンドルパイプ１３を貫通させて、アウターグリップ２２の右側端部の外周面上に固定されている。
【００１８】
スイッチケース２３の上面には、運転者によって操作されて左右ハンドルグリップ装置２０，４０の加熱・非加熱を切換えるスイッチ操作子２４が設けられている。スイッチケース２３の内周面とアウターグリップ２２の外周面との間の上部空間には、図示省略した回路基板が配設されており、回路基板上にはスイッチ操作子２４によってオン・オフされるスイッチが設けられている。スイッチケース２３の下面には貫通孔が設けられており、この貫通孔には、外部に設けた電気制御回路に接続された制御線２５及び後述する給電線２８，２９を内蔵した絶縁チューブ３８が侵入している。制御線２５は、金属導線（例えば銅線）を樹脂製の絶縁被膜で被覆して構成され、アウターグリップ２２の外周面とスイッチケース２３の内周面との間に設けた円筒状の空間を通過して、スイッチのオン・オフ状態を検出するために回路基板に接続されている。
【００１９】
次に、インナーグリップ２１及びアウターグリップ２２について詳しく説明する。インナーグリップ２１は、ハンドルパイプ１３の左端部に勘合されて、ハンドルパイプ１３の外周面上に接着剤により固定される部材である。インナーグリップ２１は、樹脂成型により略円筒状に形成され、その内径（最小の内径）はハンドルパイプ１３の外径にほぼ等しい。インナーグリップ２１の内周面上には、周方向の適宜箇所にて軸線方向に延設された凹部２１ａが形成されている。これは、インナーグリップ２１をハンドルパイプ１３の外周面上に接着剤を用いて固着した後に大きな接着力を得て、左ハンドルグリップ装置２０の軸線周りの回転操作時に、ハンドルパイプ１３の外周面とインナーグリップ２１の内周面との間に周方向のずれ（滑り）が生じないようにするためである。インナーグリップ２１の外周面上には、周方向の適宜箇所にて軸線方向に延設された凸部２１ｂが形成されている。これは、インナーグリップ２１上をアウターグリップ２２で覆った後に大きな密着力を得て、左ハンドルグリップ装置２０の軸線周りの回転操作時に、インナーグリップ２１の外周面とアウターグリップ２２の内周面との間に周方向のずれ（滑り）が生じないようにするためである。
【００２０】
インナーグリップ２１の外周面における後側及び前側の上下方向の中央位置には、一対の電極板２６，２７を取り付けるための取付け部２１ｃ，２１ｄが設けられている。この取付け部２１ｃ，２１ｄは、インナーグリップ２１の上下方向の中央位置を中心にして上下に所定長さを有し、インナーグリップ２１の軸線方向の左端から右端近傍までに渡って左右方向に長い長方形の範囲を平らに形成した領域である。また、取付け部２１ｃ，２１ｄの軸線方向の適宜箇所（本実施形態では３箇所）には、位置決め用の円柱状の小突起２１ｃ１，２１ｄ１が形成されている。
【００２１】
取付け部２１ｃ，２１ｄの右端には、所定の厚さを有するとともに、取付け部２１ｃ，２１ｄの上下方向の長さに等しい上下方向の長さを有し、取付け部２１ｃ，２１ｄの表面から直角に後方及び前方にそれぞれ突出した長方形の一対の突出片２１ｅ，２１ｆが形成されている。また、突出片２１ｅ，２１ｆの若干左側の外周面上であって、取付け部２１ｃ，２１ｄの下方位置には、インナーグリップ２１の軸線方向に所定小さな間隔を設けて径方向に環状に突出させた一対の突出部２１ｇ，２１ｈが形成されている。そして、この一対の突出部２１ｇ，２１ｈにより、取付け部２１ｃ，２１ｄの下方のインナーグリップ２１の外周面上には環状の溝が形成されている。
【００２２】
取付け部２１ｃ，２１ｄに取り付けられる一対の電極板２６，２７は、銅などの導電性金属で平板状に構成されている。この一対の電極板２６，２７も左右方向に長い長方形状に形成され、その上端及び下端は取付け部２１ｃ，２１ｄの上端及び下端にそれぞれ位置し、かつその左端及び右端は取付け部２１ｃ，２１ｄの左端及び右端よりも若干内側に位置する。この一対の電極板２６，２７の右端部には、製品の完成状態ではＵ字状に曲げられた曲げ部２６ａ，２７ａが形成されている。また、電極板２６，２７の上下方向の中央位置であって、左右方向の適宜箇所（本実施形態では３箇所）には、インナーグリップ２１への組付けの際に用いられる位置決め用の貫通孔２６ｂ，２７ｂが形成されている。
【００２３】
電極板２６，２７の曲げ部２６ａ，２７ａには、外部に設けた電気制御回路に接続されて電極板２６，２７に電圧を印加して電力を供給するための給電線（ワイヤハーネス）２８，２９の先端部がそれぞれ半田付け固定されている。給電線２８，２９は、金属導線（例えば銅線）を先端部以外において樹脂製の絶縁被膜で被覆して構成され、それらの先端部が曲げ部２６ａ，２７ａの外側壁に設けた貫通孔をそれぞれ貫通して突出し、突出した部分が曲げ部２６ａ，２７ａの外側壁の外面にそれぞれ半田付けされている。また、給電線２８，２９は、下方に延設されて、突出部２１ｇ，２１ｈによって形成された溝内に侵入してインナーグリップ２１の外周面上に沿って湾曲して下方に延設されとともに、インナーグリップ２１よりも下方位置にて直線状に下方に延設されている。２本の給電線２８，２９は、インナーグリップ２１よりも下方位置にて束ねられて、樹脂製の絶縁チューブ３８により被覆されている。絶縁チューブ３８の上端部の外周面上には、熱収縮チューブ３９が組付けられて、給電線２８，２９及び絶縁チューブ３８は熱収縮チューブ３９の熱収縮により固定されている。
【００２４】
インナーグリップ２１及び電極板２６，２７の外周面上には、発熱被膜３１，３２，３３，３４が設けられている。発熱被膜３１，３２，３３，３４は、所定の電気抵抗を有して、電流を流すことによって発熱する被膜である。発熱被膜３１，３２，３３，３４は、発熱因子としてのカーボン材料を主成分とし、インナーグリップ２１及び電極板２６，２７の外周面に密着させるための各種樹脂材料を含む部材である。カーボン材料としては、例えば、グラファイト、グラフェン、ＣＮＴ、カーボンブラックなどが使用され得る。各種樹脂材料としては、アクリル樹脂、ウレタン樹脂、エポキシ樹脂、ポリアミドイミド樹脂、無機バインダーなどが使用され得る。
【００２５】
発熱被膜３１は、インナーグリップ２１の軸線方向に所定幅Ｌ１を有し、インナーグリップ２１の右端近傍位置にて、インナーグリップ２１及び電極板２６，２７の外周面上に全周に渡って設けられている。発熱被膜３２，３３，３４は、インナーグリップ２１の軸線方向に前記所定幅Ｌ１よりも小さな所定幅Ｌ２を有し、発熱被膜３１の左側位置にて、インナーグリップ２１及び電極板２６，２７の外周面上に所定の間隔Ｌ３を隔てて設けられている。なお、発熱被膜３１と発熱被膜３２との間隔も前記所定の間隔Ｌ３と同じである。これらの発熱被膜３２，３３，３４は、発熱被膜３１とは異なり、それらの下端が電極板２６，２７の上下方向のほぼ中央位置に位置する。これにより、後述するように、給電線２８，２９を介して電極板２６，２７に電力が供給された際には、発熱被膜３１の上下方向の両中央部間に電圧が印加されるとともに、発熱被膜３２，３３，３４の両下端部間に電圧が印加される。
【００２６】
例えば、発熱被膜３１の幅Ｌ１は１８〜２２ｍｍ程度であり、発熱被膜３２，３３，３４の幅Ｌ２はそれぞれ１４〜１８ｍｍ程度である。発熱被膜３１，３２，３３，３４間の間隔Ｌ３は１１〜１５ｍｍ程度である。そして、運転者が左ハンドルグリップ装置２０を手で握った場合、発熱被膜３１が親指及び人差し指の位置に対応し、発熱被膜３２，３３，３５がそれぞれ中指、薬指及び小指の位置に対応する。
【００２７】
ここで、図６を用いて、インナーグリップ２１への電極板２６，２７及び給電線２８，２９の組付け、並び電極板２６，２７及びインナーグリップ２１上への発熱被膜３１，３２，３３，３４の形成について説明しておく。まず、インナーグリップ２１及び電極板２６，２７を用意する。この状態では、電極板２６，２７の右端部に設けた曲げ部２６ａ，２７ａは外側に直角に曲げられた状態である。また、電極板２６，２７の上端及び下端における長手方向の適宜箇所には、インナーグリップ２１への組み付け用の薄肉かつ折り曲げ可能なかしめ部２６ｃ，２７ｃが設けられている。また、インナーグリップ２１の取付け部２１ｃ、２１ｄの少なくとも適宜箇所には、かしめ部２６ｃ，２７ｃがかしめ固定される角部が形成されている。このような状態にある電極板２６，２７を、その曲げ部２６ａ，２７ａの右端をインナーグリップ２１の突出片２１ｅ，２１ｆの左端に当接させるとともに、その貫通孔２６ｂ，２７ｂ内にインナーグリップ２１の小突起２１ｃ１，２１ｄ１を侵入させながら、インナーグリップ２１の取付け部２１ｃ，２１ｄ上に密着させる。そして、かしめ部２６ｃ，２７ｃを取付け部２１ｃ，２１ｄの角部にかしめて、電極板２６，２７を取付け部２１ｃ，２１ｄ上に固定する。なお、この固定においては、電極板２６，２７を取付け部２１ｃ，２１ｄ上に接着剤を用いて固着するようにしてもよい。
【００２８】
このようにして、電極板２６，２７をインナーグリップ２１の取付け部２１ｃ，２１ｄ上に固定した状態で、インナーグリップ２１上に、発熱被膜３１，３２，３３，３４を形成する。この場合、前述したカーボン材料と各種樹脂材料を混合した液体状態にある被膜材料を、前述した発熱被膜３１，３２，３３，３４の形成位置であるインナーグリップ２１及び電極板２６，２７の外表面の位置に塗布する。この場合の被膜材料の塗布方法においては、シルクスクリーン印刷、マスキングを施したスプレー塗装、インクジェット塗装などの方法が採用され得る。その後、被膜材料を乾燥させて固化させることにより、インナーグリップ２１及び電極板２６，２７の外表面に発熱被膜３１，３２，３３，３４が形成される。
【００２９】
次に、電極板２６，２７の曲げ部２６ａ，２７ａに給電線２８，２９を半田付けする。この場合、図６の状態にある曲げ部２６ａ，２７ａを図示左上方向にそれぞれ曲げて、曲げ部２６ａ，２７ａと突出片２１ｅ，２１ｆの間に隙間を設ける。そして、先端部を予め曲げておいた給電線２８，２９を、その先端から曲げ部２６ａ，２７ａに設けた貫通孔に図示左上方向から貫通させて先端部を突出させ、曲げ部２６ａ，２７ａの右側表面に給電線２８，２９の先端部をそれぞれ半田付け固定する。その後、曲げ部２６ａ，２７ａを給電線２８，２９を巻くように図示左上方向にさらにＵ字状に曲げて、給電線２８，２９の先端部を曲げ部２６ａ，２７ａに堅固に固定する。そして、給電線２８，２９の先端部よりも若干下部分を突出部２１ｇ、２１ｈ間の溝に沿って延設させるとともに、さらに下部分を直線状に下方に延設させる。この状態が、インナーグリップ２１への電極板２６，２７及び給電線２８，２９の組付け、並び電極板２６，２７及びインナーグリップ２１上への発熱被膜３１，３２，３３，３４の形成の完了状態である。
【００３０】
なお、電極板２６，２７及び給電線２８，２９の組付け、並び発熱被膜３１，３２，３３，３４の形成の方法としては、上記方法以外に、次のような他の方法を採用することも可能である。第１の他の方法は、まず、電極板２６，２７を、前述のようにしてインナーグリップ２１上に固定する。次に、給電線２８，２９の先端部を、前述のようにして電極板２６，２７の曲げ部２６ａ，２７ａに半田付け固定するとともに、曲げ部２６ａ，２７ａのＵ字状の曲げにより曲げ部２６ａ，２７ａに堅固に固定する。なお、この場合も、前述のように、給電線２８，２９の先端部よりも若干下部分を突出部２１ｇ、２１ｈ間の溝に沿って延設させるとともに、さらに下部分を直線状に下方に延設させる。次に、インナーグリップ２１及び電極板２６，２７上に、前述のようにして発熱被膜３１，３２，３３，３４を形成する。
【００３１】
第２の他の方法は、まず、給電線２８，２９の先端部を、前述のようにして電極板２６，２７の曲げ部２６ａ，２７ａに半田付け固定するとともに、曲げ部２６ａ，２７ａのＵ字状の曲げにより曲げ部２６ａ，２７ａに堅固に固定する。次に、給電線２８，２９が固定された電極板２６，２７を、前述のようにしてインナーグリップ２１上に固定する。なお、この場合も、前述のように、給電線２８，２９の先端部よりも若干下部分を突出部２１ｇ、２１ｈ間の溝に沿って延設させるとともに、さらに下部分を直線状に下方に延設させる。そして、インナーグリップ２１及び電極板２６，２７上に、前述のようにして発熱被膜３１，３２，３３，３４を形成する。
【００３２】
第３の他の方法は、まず、電極板２６，２７を金型内に組み入れた後に金型内に液状の樹脂材料を注入して、インナーグリップ２１と電極板２６，２７を、インサート成形により、一体成型する。次に、給電線２８，２９の先端部を、前述のようにして電極板２６，２７の曲げ部２６ａ，２７ａに半田付け固定するとともに、曲げ部２６ａ，２７ａのＵ字状の曲げにより曲げ部２６ａ，２７ａに堅固に固定する。なお、この場合も、前述のように、給電線２８，２９の先端部よりも若干下部分を突出部２１ｇ、２１ｈ間の溝に沿って延設させるとともに、さらに下部分を直線状に下方に延設させる。次に、インナーグリップ２１及び電極板２６，２７上に、前述のようにして発熱被膜３１，３２，３３，３４を形成する。なお、この第３の他の方法においては、給電線２８，２９の先端部を電極板２６，２７の曲げ部２６ａ，２７ａに半田付け固定する工程と、発熱被膜３１，３２，３３，３４を形成する工程を逆にしてもよい。
【００３３】
このようないずれかの方法により、インナーグリップ２１への電極板２６，２７及び給電線２８，２９の組付け、並び電極板２６，２７及びインナーグリップ２１上への発熱被膜３１，３２，３３，３４の形成を完了した後、給電線２８，２９の下部を絶縁チューブ３８内に下端から侵入させて貫通させる。その後、絶縁チューブ３８を熱収縮チューブ３９内に下端から侵入させて貫通させ、絶縁チューブ３８の上端部に熱収縮チューブ３９を組付ける。その後、熱収縮チューブ３９に熱を加えて、２本の給電線２８，２９及び絶縁チューブ３８を熱収縮チューブ３９内に固定する。
【００３４】
アウターグリップ２２は、インナーグリップ２１の外周面を覆うゴム部材である。アウターグリップ２２は、左右方向の中央部分を同径の円筒状に構成されて、左端部を環状に突出させた突出部２２ａを備えるとともに、右端部に所定幅に渡って厚肉に形成した厚肉部２２ｂを備えている。
【００３５】
アウターグリップ２２の内周面上には、インナーグリップ２１の凸部２１ｂに対応した周方向の適宜箇所にて軸線方向に延設された凹部２２ｃが形成されている。これは、アウターグリップ２２が、インナーグリップ２１の外周面上に密着されて、左ハンドルグリップ装置２０の軸線周りの回転操作時に、インナーグリップ２１の外周面との間に周方向のずれ（滑り）が生じないようにするためである。また、アウターグリップ２２の左右方向の中央部の外周面上には、周方向の適宜箇所にて軸線方向に延設された浅い長尺状の溝２２ｄが形成されている。これは、手のひらを滑らせないで、運転者がアウターグリップ２２を確実に握ることができるようにするためである。アウターグリップ２２の厚肉部２２ｂの下部に、インナーグリップ２１の突出部２１ｇ，２１ｈの中央位置を中心とするとともに、突出部２１ｇ，２１ｈの幅よりも大きな直径を有する円柱状の穴２２ｂ１が設けられている。この穴２２ｂ１は、給電線２８，２９を収容した絶縁チューブ３８及び熱収縮チューブ３９を貫通させる。
【００３６】
このように構成されるアウターグリップ２２をインナーグリップ２１上に形成するために、本実施形態ではインサート成型が採用されている。すなわち、前述のようにして組み立てたインナーグリップ２１、電極板２６，２７、給電線２８，２９、発熱被膜３１，３２，３３，３４、絶縁チューブ３８及び熱収縮チューブ３９からなる中間部品を、金型内に組み入れた後、金型内に液状のゴム材料を注入する。そして、成型されたアウターグリップ２２を、インナーグリップ２１、電極板２６，２７、給電線２８，２９及び発熱被膜３１，３２，３３，３４、絶縁チューブ３８及び熱収縮チューブ３９と共に金型から取り外す。これにより、インナーグリップ２１、電極板２６，２７、給電線２８，２９、発熱被膜３１，３２，３３，３４、絶縁チューブ３８及び熱収縮チューブ３９上にアウターグリップ２２を被覆した部品が完成する。
【００３７】
次に、制御線２５が配線された回路基板を、スイッチ操作子２４を備えたスイッチケース２３内に組付ける。そして、制御線２５をアウターグリップ２２の厚肉部２２ｂの外周面に沿わせて、スイッチケース２３をアウターグリップ２２の厚肉部２２ｂに組付ければ、左ハンドルグリップ装置２０が完成する。
【００３８】
また、右ハンドルグリップ装置４０は、左ハンドルグリップ装置２０とは左右方向において対称な形状であるが、前述した左ハンドルグリップ装置２０と同様に構成される。この場合、右ハンドルグリップ装置４０においては、アウターグリップが軸線周りに回動されることはないので、インナーグリップをハンドルパイプ１３に大きな接着力で固着する必要がない。したがって、インナーグリップの内周面を凹部のない円形に形成して、インナーグリップをハンドルパイプ１３の右端部の外周面に接着剤を用いて固着してもよい。また、インナーグリップの外周面に凸部を設けたり、アウターグリップの内周面に凹部を設けたりしなくてもよい。また、右ハンドルグリップ装置４０においては、左右ハンドルグリップ装置２０，４０の加熱・非加熱を切換えるためのスイッチ操作子、回路基板、制御線は不要である。この場合には、外部の電気制御回路に接続された給電線だけがスイッチケース内に導かれて、一対の電極板に電気接続される。
【００３９】
上記のように構成した左右ハンドルグリップ装置２０，４０においては、運転者がスイッチ操作子２４を操作して左右ハンドルグリップ装置２０，４０を非加熱状態から加熱状態へ切換えれば、その切換え指示が制御線２５を介して外部に設けた電気制御回路に供給される。そして、電気制御回路は、給電線２８，２９を介して電極板２６，２７間に電圧を印加する。この電圧印加による電力供給により、発熱被膜３１，３２，３３，３４には電流が流れて、発熱被膜３１，３２，３３，３４は左右ハンドルグリップ装置２０，４０を加熱して暖める。逆に、運転者がスイッチ操作子２４を操作して左右ハンドルグリップ装置２０，４０を加熱状態から非加熱状態へ切換えれば、電気制御回路は、制御線２５を介した切換え指示により、給電線２８，２９を介した電極板２６，２７間への電圧の印加を停止する。したがって、この場合には、発熱被膜３１，３２，３３，３４は左右ハンドルグリップ装置２０，４０の加熱を停止する。
【００４０】
上述したように、上記実施形態の左右ハンドルグリップ装置２０，４０においては、インナーグリップ２１及び電極板２６，２７上に発熱被膜３１，３２，３３，３４を設けて、それらの外周面をアウターグリップ２２で覆うようにした。すなわち、インナーグリップ２１とアウターグリップ２２との間に電極板２６，２７及び発熱被膜３１，３２，３３，３４を設けるようにした。そして、発熱被膜３１，３２，３３，３４に電流を流すことにより、左右ハンドルグリップ装置２０，４０を暖めるようにした。したがって、上記実施形態によれば、発熱機能を有する左右ハンドルグリップ装置２０，４０が簡単に構成されて、製造コストを下げることができる。
【００４１】
また、上記実施形態の左右ハンドルグリップ装置２０，４０においては、アウターグリップ２２の内端側すなわち親指及び人差し指が接触する位置に、比較的横幅の広い発熱被膜３１をインナーグリップ２１の全周に渡って設けるようにした。そして、発熱被膜３１の外側すなわち中指、薬指及び小指が接触する位置には、発熱被膜３１よりも狭い幅の発熱被膜３２，３３，３４を所定の間隔を隔てて、上部にほぼ半周に渡って設けるようにした。したがって、上記実施形態によれば、インナーグリップ２１の全体を発熱被膜で覆う場合に比べて、発熱被膜３１，３２，３３，３４に流れる電流量を減らすことができ、消費電力を抑制することができる。また、発熱被膜３１，３２，３３，３４は手のひらが主に接触する部分に設けられているので、左右ハンドルグリップ装置２０，４０を効率的に暖めることができる。
【００４２】
また、上記実施形態の左右ハンドルグリップ装置２０，４０においては、電極板２６，２７をインナーグリップ２１の周方向において１８０度隔ててインナーグリップ２１の後面及び前面に、インナーグリップ２１の左右端近傍まで左右方向に連続的に延設させた。そして、給電線２８，２９を電極板２６，２７の右端部に設けて、発熱被膜３１の上下方向の両中央部に電圧が印加されるとともに、発熱被膜３２，３３，３４の両下端部に電圧が印加されるようにした。これにより、発熱被膜３１，３２，３３，３４を軸線方向に間隔を設けて分散配置しても、簡単な構成で発熱被膜３１，３２，３３，３４に電力を供給できる。また、インナーグリップ２１の全周に設けた発熱被膜３１においては、上部と下部とに同じ電圧を印加できて、発熱被膜３１の上部と下部で均等な発熱量を得ることができる。また、インナーグリップ２１の上部の半周に設けた発熱被膜３２，３３，３４にも、簡単な構成で電圧を印加できる。
【００４３】
さらに、上記実施形態の左右ハンドルグリップ装置２０，４０においては、インナーグリップ２１の外周面上及び電極板２６，２７の表面上に液体状態にある被膜材料を塗布して、インナーグリップ２１の外周面上及び電極板２６，２７の表面上に発熱被膜３１，３２，３３，３４を形成するようにした。これによれば、発熱被膜３１，３２，３３，３４が、インナーグリップ２１の外周面上及び電極板２６，２７の外周面上に簡単に形成される。
【００４４】
ｂ．変形例
なお、本発明に係るハンドルグリップ装置は、上記実施形態に限定されるものではなく、適宜変更して実施することが可能である。
【００４５】
ｂ１．第１変形例
上記実施形態においては、発熱被膜３１をインナーグリップ２１及び電極板２６，２７の外周面上に全周に渡って設けるとともに、発熱被膜３２，３３，３４をインナーグリップ２１及び電極板２６，２７の外周面上部に半周に渡って設けるようにした（図６参照）。しかし、これに代えて、図７の斜視図に示すように、発熱被膜３２，３３，３４を、発熱被膜３１と同様に、インナーグリップ２１及び電極板２６，２７の外周面上に全周に渡って設けるようにしてもよい。発熱被膜３１の幅Ｌ１、発熱被膜３２，３３，３４の幅Ｌ２及び発熱被膜３１，３２，３３，３４間の間隔Ｌ３を含む他の構成に関しては、上記実施形態の場合と同じである。
【００４６】
この第１変形例によっても、上記実施形態の場合と同様に、インナーグリップ２１の全体を発熱被膜で覆う場合に比べて、発熱被膜３１，３２，３３，３４に流れる電流量を減らすことができ、消費電力を抑制することができる。また、発熱被膜３１，３２，３３，３４は手のひらが主に接触する部分に設けられているので、左右ハンドルグリップ装置２０，４０を効率的に暖めることができる。
【００４７】
しかし、この第１変形例においては、発熱被膜３２，３３，３４で消費される電力量は、上記実施形態の場合に比べて大きくなる。したがって、この第１変形例においては、発熱被膜３２，３３，３４の幅Ｌ２を上記実施形態の場合に比べて小さくして、発熱被膜３１，３２，３３，３４間の間隔Ｌ３を上記実施形態の場合に比べて大きくして、消費電力を抑制することが好ましい。
【００４８】
ｂ２．第２変形例
また、上記実施形態においては、発熱被膜３１，３２，３３，３４間に所定の間隔Ｌ３を設けて、発熱被膜３１，３２，３３，３４をインナーグリップ２１の軸線方向に分散させて設けるようにした（図６参照）。しかし、これに代えて、図８の斜視図に示すように、一枚の発熱被膜３５をインナーグリップ２１及び電極板２６，２７の外周面上に設けるようにしてもよい。この場合、インナーグリップ２１の右端に近い内側部分３５ａは、上記実施形態の発熱被膜３１と同様に、インナーグリップ２１及び電極板２６，２７の外周面上に全周に渡って設けられている。内側部分３５ａの外側に位置するインナーグリップ２１の左端に近い外側部分３５ｂは、上記実施形態の発熱被膜３２，３３，３４と同様に、インナーグリップ２１及び電極板２６，２７の外周面上部に半周に渡って設けられている。発熱被膜３５の内側部分３５ａの幅Ｌ１を含む他の構成に関しては、上記実施形態の場合と同じである。なお、この場合における発熱被膜３５の外側部分３５ｂの幅Ｌ４は、３・（Ｌ２＋Ｌ３）である。
【００４９】
この第２変形例によっても、インナーグリップ２１の全体を発熱被膜で覆う場合に比べて、発熱被膜３５に流れる電流量を減らすことができ、電力消費を抑制することができる。また、発熱被膜３５は手のひらが主に接触する部分に主に設けられているので、左右ハンドルグリップ装置２０，４０を効率的に暖めることができる。
【００５０】
ｂ３．第３変形例
また、前記図８の第２変形例における発熱被膜３５の内側部分３５ａと外側部分３５ｂに相当する部分を、図９の斜視図に示すように、独立した発熱被膜３６，３７でそれぞれ構成して、発熱被膜３６，３７間に間隔を設けるようにしてもよい。この場合、発熱被膜３６は、上記実施形態の発熱被膜３１と同様に、インナーグリップ２１及び電極板２６，２７の外周面上に全周に渡って設けられている。発熱被膜３７は、上記実施形態の発熱被膜３２，３３，３４と同様に、インナーグリップ２１及び電極板２６，２７の外周面上部に半周に渡って設けられている。発熱被膜３６の左右方向の幅Ｌ１及び発熱被膜３６，３７間の間隔Ｌ３を含む他の構成に関しては、上記実施形態の場合と同じである。なお、この場合における発熱被膜３７の外側部分３５ｂの幅Ｌ５は、（３・Ｌ２＋２・Ｌ３）である。
【００５１】
この第３変形例によっても、インナーグリップ２１の全体を発熱被膜で覆う場合に比べて、発熱被膜３６，３７に流れる電流量を減らすことができ、電力消費を抑制することができる。特に、発熱被膜３６，３７間の左右方向の間隔Ｌ３の分だけ、消費電力を前記図８の第２変形例の場合よりも抑制することができる。また、この場合も、発熱被膜３６，３７は手のひらが主に接触する部分に主に設けられているので、左右ハンドルグリップ装置２０，４０を効率的に暖めることができる。
【００５２】
ｂ４．その他の変形例
また、上述した実施形態及び第１乃至第３変形例の発熱被膜３１〜３７に関する左右方向の幅Ｌ１，Ｌ２，Ｌ４，Ｌ５及び間隔Ｌ３に関しては、上述した範囲ではなく多少変更してもよい。この場合、幅Ｌ１，Ｌ２，Ｌ４，Ｌ５を減少させるとともに、間隔Ｌ３を増加させれば、発熱被膜によって消費される電力量をより小さく抑えることができる。また、上記実施形態及び第１変形例における発熱被膜３２，３３，３４の幅Ｌ１及び発熱被膜３１，３２，３３，３４間の間隔Ｌ３に関しては、全て同じでなくても多少異なっていてもよい。
【００５３】
また、上記実施形態及び各種変形例では、一対の電極板２６，２７をインナーグリップ２１の周方向において１８０度の間隔で設けるようにした。しかし、この一対の電極板２６，２７の周方向間隔を、インナーグリップ２１の上部において１８０度よりある程度大きくしたり、１８０度よりある程度小さくしたりしてもよい。この場合も、上記実施形態の発熱被膜３２，３３，３４、第２変形例の発熱被膜３５の外側部分３５ｂ及び第３変形例の発熱被膜３７は、インナーグリップ２１の上部を被覆して、下端部にて一対の電極板２６，２７に接続される。
【００５４】
また、上記実施形態、第２変形例及び第３変形例においては、発熱被膜３２，３３，３４、発熱被膜３５の外側部分３５ｂ及び発熱被膜３７をインナーグリップ２１の上部に設けるようにした。しかし、これに代えて、前記発熱被膜３２，３３，３４，３７及び発熱被膜３５の外側部分３５ｂを、インナーグリップ２１の前側に配置することも考えられる。すなわち、前記発熱被膜３２，３３，３４，３７及び発熱被膜３５の外側部分３５ｂの周方向の中心位置を、インナーグリップ２１の前側に位置させることも考えられる。これは、運転者が左右ハンドルグリップ装置２０，４０を握る場合、アウターグリップ２２の前側位置に手のひらを主に接触させることもあるからである。この点を考慮すれば、前記発熱被膜３２，３４，３５，３７及び発熱被膜３５の外側部分３５ｂの周方向の中心位置は、左右ハンドルグリップ装置２０，４０をハンドルパイプ１３に組み付けた状態で、インナーグリップ２１の最上端及び最前端の間に位置するようにすればよい。また、左右ハンドルグリップ装置２０，４０をハンドルパイプ１３に組み付ける場合には、左右ハンドルグリップ装置２０，４０を軸線周りに多少回転させてもよいので、この組付け時における左右ハンドルグリップ装置２０，４０の軸線周りの回転により、前記発熱被膜３２，３３，３４，３７及び発熱被膜３５の外側部分３５ｂの周方向の中心位置は調節可能である。
【００５５】
また、上記実施形態及び各種変形例においては、インナーグリップ２１の左端及び右端の近傍に渡って連続した一対の電極板２６，２７を設けるようにしたが、各電極板２６，２７をそれぞれ分割して設けるようにしてもよい。特に、複数の発熱被膜３１〜３４，３６，３７を設ける場合には、発熱被膜３１〜３４，３６，３７ごとに分割された電極板を各発熱被膜３１〜３４，３６，３７にそれぞれ対応させて設けるようにするとよい。これによっても、複数の発熱被膜に電力を供給して、複数の発熱被膜を発熱させることができる。
【００５６】
また、上記実施形態及び各種変形例においては、発熱被膜３１〜３７を液体状態にある被膜材料をインナーグリップ２１及び電極板２６，２７の外表面に塗布した後、被膜材料を乾燥させて、インナーグリップ２１及び電極板２６，２７の外周面に発熱被膜３１〜３７を形成するようにした。しかし、これに代えて、発熱被膜３１〜３７を別途形成しておいて、形成された発熱被膜３１〜３７をインナーグリップ２１及び電極板２６，２７の外表面に接着して、インナーグリップ２１及び電極板２６，２７上に設けるようにしてもよい。
【００５７】
また、上記実施形態及び各種変形例において、左右ハンドルグリップ装置２０，４０内に断熱部材を設けて、発熱被膜３１〜３７による発熱効果をより良好にするようにしてもよい。この場合、ハンドルパイプ１３とインナーグリップ２１との間に円筒状の断熱被膜を設けるようにすればよい。
【００５８】
また、上記実施形態及び各種変形例において、制御線２５及び絶縁チューブ３８を他の絶縁チューブ内を貫通させて、制御線２５及び絶縁チューブ３８を１つにまとめるようにしてもよい。そして、この場合も、前記他の絶縁チューブの外周上に熱収縮チューブを組付けて、熱収縮チューブの熱収縮により、制御線２５及び絶縁チューブ３８を前記絶縁チューブ内に固定するようにする。
【００５９】
さらに、上記実施形態及び各種変形例では、本発明を自動ニ輪車のハンドルグリップ装置に適用した例について説明したが、本発明に係るハンドルグリップ装置は、自転車、三輪バギー、スノーモービル、水上バイクなどの他の移動体のハンドルグリップ装置にも適用できる。
【符号の説明】
【００６０】
１３…ハンドルパイプ、２０…左ハンドルグリップ装置、２１…インナーグリップ、２２…アウターグリップ、２６，２７…電極板、２８，２９…給電線、３１〜３７…発熱被膜、３５ａ…内側部分、３５ｂ…外側部分、４０…右ハンドルグリップ装置
【図１】
2016113002.tif 000003
【図２】
2016113002.tif 000004
【図３】
2016113002.tif 000005
【図４】
2016113002.tif 000006
【図５】
2016113002.tif 000007
【図６】
2016113002.tif 000008
【図７】
2016113002.tif 000009
【図８】
2016113002.tif 000010
【図９】
2016113002.tif 000011